(57)【特許請求の範囲】
【請求項１】
本体部と、
前記本体部と開閉可能に連結される開閉部と、
前記開閉部に設けられる投影部と、
前記本体部の方向と、前記投影部の投影方向に応じて、投影開始の制御を行なう制御部と、
を備え、
前記制御部は、前記本体部の撮像光軸方向が垂直になる縦方向に前記本体部が置かれ、かつ、前記投影方向が水平の場合に、前記投影開始の制御を行なう、投影装置。
【請求項２】
前記開閉部の開閉状態を検出する開閉状態検出部を備え、
前記制御部は、さらに、前記開閉状態検出部により前記開閉部が開いた状態が検出された場合に、前記投影開始の制御を行なう、請求項１記載の投影装置。
【請求項３】
前記開閉部は、操作表示部を備え、
前記投影部は、前記開閉部が開けられ、前記操作表示部が設けられる前記開閉部の面が水平になる場合に、前記投影方向が水平になる位置に設けられる、請求項１記載の投影装置。
【請求項４】
前記制御部は、さらに、前記操作表示部が設けられた前記開閉部の面が上向きにある場合に、前記投影開始の制御を行なう、請求項３記載の投影装置。
【請求項５】
前記開閉部の開閉状態を検出する開閉状態検出部を備え、
前記制御部は、さらに、前記開閉状態検出部により、前記開閉部が前記本体部に対して開けられた状態が検出された場合に、前記投影開始の制御を行なう、請求項１記載の投影装置。
【請求項６】
前記制御部は、撮影レンズが上向きになるように前記本体部が縦方向に置かれ、かつ、前記投影方向が水平の場合に、前記投影開始の制御を行なう、請求項１記載の投影装置。
【請求項７】
前記制御部は、前記本体部が有する撮影レンズから取得した映像から抽出されたユーザのジェスチャーに基づき、投影画像の表示制御を行なう、請求項６記載の投影装置。
【請求項８】
前記制御部は、撮影レンズが下向きになるように前記本体部が縦方向に置かれ、かつ、前記投影方向が水平の場合に、前記投影開始の制御を行なう、請求項１記載の投影装置。
【請求項９】
前記本体部は、前記本体部の揺動を検知する手振れセンサを備え、
前記制御部は、前記手振れセンサによる検知結果に基づいて、前記本体部の揺動が検知されない場合に前記本体部が置かれたと判断する、請求項１記載の投影装置。
【請求項１０】
前記開閉部は、上下方向に形成される開閉軸を中心に前記本体部に対して開閉可能、かつ前記開閉軸に直交する回転軸を中心に前記本体部に対して回転可能に連結される、請求項１記載の投影装置。
【請求項１１】
本体部の方向と、前記本体部と開閉可能に連結される開閉部に設けられる投影部の投影方向に応じて、投影開始の制御を行なうステップを含み、
前記制御を行うステップは、前記本体部の撮像光軸方向が垂直になる縦方向に前記本体部が置かれ、かつ、前記投影方向が水平の場合に、前記投影開始の制御を行なう、投影方法。
【請求項１２】
コンピュータを、
本体部の方向と、前記本体部と開閉可能に連結される開閉部に設けられる投影部の投影方向に応じて、投影開始の制御を行なう制御部、
として機能させ、
前記制御部は、前記本体部の撮像光軸方向が垂直になる縦方向に前記本体部が置かれ、かつ、前記投影方向が水平の場合に、前記投影開始の制御を行なう、プログラム。
【発明の詳細な説明】
【技術分野】
【０００１】
本発明は、投影装置、投影方法、およびプログラムに関する。
【背景技術】
【０００２】
画像を投影する投影部を備えた装置（プロジェクター）が従来から知られている（特許文献１参照）。さらに近日、小型プロジェクターを搭載した撮像装置が提案されている。この撮像装置によれば、撮像により取得したコンテンツをプロジェクターから投影できるので、表示装置を用いることなく大勢のユーザでコンテンツを観賞することが可能である。
【先行技術文献】
【特許文献】
【０００３】
【特許文献１】特開２００７−２１９２２５号公報
【発明の概要】
【発明が解決しようとする課題】
【０００４】
しかし、上述した撮像装置は、プロジェクターからの投影を開始するまでに、ボタンやメニュー操作を行なわなければならず、投影開始の操作が煩雑であるという問題があった。
【０００５】
そこで、本発明は、上記問題に鑑みてなされたものであり、本発明の目的とするところは、投影部からの投影を開始する操作の煩雑さを軽減することが可能な、新規かつ改良された撮像装置、撮像装置の制御方法、およびプログラムを提供することにある。
【課題を解決するための手段】
【０００６】
上記課題を解決するために、本発明のある観点によれば、本体部と、前記本体部と開閉可能に連結される開閉部と、前記開閉部に設けられる投影部と、前記本体部の方向と、前記投影部の投影方向に応じて、投影開始の制御を行なう制御部と、を備える、投影装置が提供される。
【０００７】
また、前記制御部は、前記本体部の撮像光軸方向が垂直になる縦方向に前記本体部が置かれ、かつ、前記投影方向が水平の場合に、前記投影開始の制御を行ってもよい。
【０００８】
また、前記開閉部の開閉状態を検出する開閉状態検出部を備え、前記制御部は、さらに、前記開閉状態検出部により前記開閉部が開いた状態が検出された場合に、前記投影開始の制御を行なってもよい。
【０００９】
また、前記制御部は、さらに、前記操作表示部が設けられた前記開閉部の面が上向きにある場合に、前記投影開始の制御を行なってもよい。
【００１０】
また、前記開閉部は、操作表示部を備え、前記投影部は、前記開閉部が開けられ、前記操作表示部が設けられる前記開閉部の面が水平になる場合に、前記投影方向が水平になる位置に設けられてもよい。
【００１１】
また、前記開閉部の開閉状態を検出する開閉状態検出部を備え、前記制御部は、さらに、前記開閉状態検出部により、前記開閉部が前記本体に対して開けられた状態が検出された場合に、前記投影開始の制御を行なってもよい。
【００１２】
また、前記制御部は、撮影レンズが上向きになるように前記本体部が縦方向に置かれ、かつ、前記投影方向が水平の場合に、前記投影開始の制御を行なってもよい。
【００１３】
また、前記制御部は、前記本体部が有する撮影レンズから取得した映像から抽出されたユーザのジェスチャーに基づき、投影画像の表示制御を行なってもよい。
【００１４】
また、前記制御部は、撮影レンズが下向きになるように前記本体部が縦方向に置かれ、かつ、前記投影方向が水平の場合に、前記投影開始の制御を行なってもよい。
【００１５】
また、前記本体部は、前記本体部の揺動を検知する手振れセンサを備え、前記制御部は、前記手振れセンサによる検知結果に基づいて、前記本体部の揺動が検知されない場合に前記本体部が置かれたと判断してもよい。
【００１６】
また、前記開閉部は、上下方向に形成される開閉軸を中心に前記本体部に対して開閉可能、かつ前記開閉軸に直交する回転軸を中心に前記本体部に対して回転可能に連結されてもよい。
【００１７】
また、上記課題を解決するために、本発明の別の観点によれば、本体部の方向と、前記本体部と開閉可能に連結される開閉部に設けられる投影部の投影方向に応じて、投影開始
の制御を行なうステップを含む投影方法が提供される。
【００１８】
また、上記課題を解決するために、本発明の別の観点によれば、コンピュータを、本体部の方向と、前記本体部と開閉可能に連結される開閉部に設けられる投影部の投影方向に応じて、投影開始の制御を行なう制御部、として機能させるためのプログラムが提供される。
【発明の効果】
【００１９】
以上説明したように本発明によれば、投影部からの投影を開始する操作の煩雑さを軽減することが可能である。
【図面の簡単な説明】
【００２０】
【図１】本発明の実施形態による撮像装置の外観を示す斜視図である。
【図２】本発明の実施形態による撮像装置の外観を示す斜視図である。
【図３】プロジェクターモジュールの構成を示した説明図である。
【図４】撮像画面の具体例を示した説明図である。
【図５】インデックス画面の具体例を示した説明図である。
【図６】再生画面の具体例を示した説明図である。
【図７】本発明の第１の実施形態による撮像装置の構成を示したブロック図である。
【図８】本発明の第１の実施形態による撮像装置の動作処理を示すフローチャートである。
【図９】本発明の第１の実施形態による撮像装置の投影時の姿勢を示す斜視図である。
【図１０】本発明の第１の実施形態による撮像装置の投影時の操作について説明するための斜視図である。
【図１１】本発明の第２の実施形態による撮像装置の動作処理を示すフローチャートである。
【図１２】本発明の第２の実施形態による撮像装置の投影時の姿勢を示す斜視図である。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、以下に示す項目順序に従って当該「発明を実施するための形態」を説明する。
１．本発明の実施形態による撮像装置の基本構成
２．第１の実施形態
１−１．撮像装置の構成
１−２．撮像装置の動作
３．第２の実施形態
４．まとめ
【００２３】
＜１．本発明の実施形態による撮像装置の基本構成＞
本発明は、一例として「２．第１の実施形態」〜「３．第２の実施形態」において詳細に説明するように、多様な形態で実施され得る。また、各実施形態において説明する撮像装置（１）は、
Ａ：本体部４と、
Ｂ：前記本体部４と開閉可能に連結される開閉部８と、
Ｃ：前記開閉部８に設けられる投影部（プロジェクターモジュール１８）と、
Ｄ：前記本体部４の方向と、前記投影部の投影方向に応じて、投影開始の制御を行なう制御部（主制御部１００）と、
を備える。
【００２４】
なお、本明細書において、撮像装置は投影装置の一例として参照する。また、本発明による各実施形態では、撮像装置の一例として撮像装置１（ビデオカメラ）を示しているが、撮像装置はかかる例に限定されない。例えば、撮像装置は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）、家庭用ゲーム機器、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２５】
以下では、まず、このような各実施形態において共通する基本構成について図１〜図６を参照して説明する。
【００２６】
図１および図２は、本発明の実施形態による撮像装置１の外観を示す斜視図である。図１に示したように、撮像装置１は、本体部４、ヒンジ機構６、および開閉部８を備える。
【００２７】
撮像装置１の本体部４は、ズーム操作部２１と、マニュアル操作部２２と、静止画撮像操作部２３と、モード操作部２４と、投影切替操作部２５と、撮像光学系３１と、を備える。
【００２８】
撮像光学系３１は、被写体から発せられる光を集光する撮影レンズおよびズームレンズを備え、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換部に被写体像を形成する撮像部である。被写体像が信号変換部に形成されると、被写体像は信号変換部により電気的な画像信号に変換される。
【００２９】
ズーム操作部２１は、撮影モード時に撮像光学系３１の焦点距離を変更するためのユーザ操作を受け付ける。ズーム操作部２１は、図１に示したように例えばワイド側またはテレ側に傾倒可能なレバーで構成される。この場合、撮像光学系３１は、当該レバーがワイド側に傾倒されると焦点距離を短くし（被写体像を縮小し）、当該レバーがテレ側に傾倒されると焦点距離を長くする（被写体像を拡大する。）。
【００３０】
マニュアル操作部２２は、撮像光学系３１の焦点を合わせるためのユーザ操作を受け付ける。マニュアル操作部２２は、図１に示したように例えば時計周り、または反時計周りに回転可能なダイヤルで構成される。この場合、撮像光学系３１は、当該ダイヤルの回転方向および回転量に応じて焦点位置を調整する。
【００３１】
静止画撮像操作部２３は、静止画を撮像するためのユーザ操作を受け付ける。静止画撮像操作部２３は、図１に示したように例えば押圧式のボタンで構成される。この場合、撮像装置１は、当該ボタンの押圧に応じて静止画を撮像することにより、静止画の画像データを取得する。
【００３２】
モード操作部２４は、撮像装置１の動作モードを切り替えるためのユーザ操作を受け付ける。ここで、撮像装置１の動作モードは、一例として撮影モードと再生モードとに大別される。また、モード操作部２４は、図１に示したように例えば押圧式のボタンで構成される。この場合、撮像装置１は、当該ボタンの押圧に応じて動作モードを撮影モードと再生モードとの間で切り換える。
【００３３】
なお、撮影モードは、撮像光学系３１および信号変換部などを動作させることにより被写体を撮像するための動作モードである。一方、再生モードは、例えば撮影モードにおいて取得された画像データを再生するための動作モードである。これら動作モードの詳細については図４〜図６を参照して後述する。
【００３４】
投影切替操作部２５は、撮像装置１により生成した画面をプロジェクターモジュール１８から投影するか否かを切り替えるためのユーザ操作を受け付ける。例えば、投影切替操作部２５は、図１に示したように例えば押圧式のボタンで構成される。この場合、撮像装置１は、当該ボタンの押圧に応じて画面をプロジェクターモジュール１８から投影するか否かを切り替える。なお、画面がプロジェクターモジュール１８から投影されている間、タッチパネル１２は、投影画面と同一の画面を表示してもよいし、投影画面と異なる画面を表示してもよいし、画面を非表示にしてもよい。
【００３５】
以上、撮像装置１の本体部４の構成を説明した。続いて、本体部４にヒンジ機構６を介して連結される開閉部８の構成を説明する。
【００３６】
開閉部８は、ヒンジ機構６により、図２に示した第１回転軸Ｌ１回り、および第１回転軸Ｌ１と直交する第２の回転軸Ｌ２回りに回転可能に本体部４と連結されている。図１には、開閉部８が本体部４に対して閉じられた状態を示しており、図２には、開閉部８が第１回転軸Ｌ１回りに回転することにより本体部４に対して開かれた状態を示している。
【００３７】
このような開閉部８は、図２に示したように、片面にタッチパネル１２を備え、側面にプロジェクターモジュール１８を備える。なお、プロジェクターモジュールが設けられる箇所は図２に示す開閉部８の側面に限られず、開閉部８の他の側面や、タッチパネル１２が設けられる面と同じ面、若しくは裏面でもよい。
【００３８】
タッチパネル１２は、表示機能および操作検出機能を有する操作表示部の一例である。タッチパネル１２は、撮影モードにおいては撮像光学系３１により集光されている被写体の画像を表示し、再生モードにおいては後述のインデックス画面または再生画面などを表示することができる。また、ユーザは、タッチパネル１２を操作することにより撮像装置１に各種指示や情報を入力することも可能である。
【００３９】
プロジェクターモジュール１８は、撮像装置１により生成された画面を投影する投影部である。プロジェクターモジュール１８は、投影切替操作部２５に対するユーザ操作に応じ、例えば後述のインデックス画面または再生画面などを投影することができる。以下、図３を参照し、このプロジェクターモジュール１８の詳細な構成を説明する。
【００４０】
図３は、プロジェクターモジュール１８の構成を示した説明図である。図３に示したように、プロジェクターモジュール１８は、光源１８２と、光像表示部１８４と、投影レンズ１８６と、を備える。
【００４１】
光源１８２は、白色光を射出する白色ＬＥＤ（Ｌｉｇｈｔ  Ｅｍｉｔｔｉｎｇ  Ｄｉｏｄｅ）、および白色ＬＥＤからの射出光を拡散して光像表示部１８４に射出する光学系から構成される。なお、本実施形態においては光源１８２が白色ＬＥＤで構成される例に重きをおいて説明するが、光源１８２の構成はかかる例に限定されない。例えば、光源１８２は高圧水銀ランプで構成されてもよい。
【００４２】
光像表示部１８４は、投影するための画面を表示する液晶パネルである。光像表示部１８４に表示された画面は、光源１８２からの射出光により投影レンズ１８６に供給される。投影レンズ１８６は、光像表示部１８４に表示された画面を投影面に結像させる。
【００４３】
（撮影モードおよび再生モード）
以上、本発明の実施形態による撮像装置１の基本構成を説明した。続いて、撮像装置１の動作モードである撮影モードおよび再生モードについて説明する。
【００４４】
撮影モードは、撮像光学系３１および信号変換部などを動作させることにより被写体を撮像するための動作モードである。この撮影モードにおいては、図４に示すように、撮像光学系３１による被写体の撮像画面Ｒがタッチパネル１２に表示される。さらに、撮像画面Ｒが録画中である場合、撮像画面Ｒには図４に示したように録画マーク６２が付加される。
【００４５】
なお、撮影モードにおいてユーザにより静止画撮像操作部２４が押圧された場合、撮像装置１は、被写体の静止画を撮像して静止画の画像データを取得する。
【００４６】
そして、撮影モードにおいてユーザによりモード操作部２４が押圧されると、撮像装置１は動作モードを再生モードに切り替える。再生モードは、コンテンツデータを再生するための動作モードである。このため、撮像装置１は、再生モードへの切替後、再生対象のコンテンツデータをユーザが選択するためのインデックス画面Ｉを生成する。
【００４７】
図５は、インデックス画面Ｉの具体例を示した説明図である。図５に示したように、インデックス画面Ｉは、複数のコンテンツデータの各々に対応するサムネイルｓ１、ｓ２、ｓ３・・・を含む。なお、コンテンツデータは、撮像装置１が撮像により取得した画像データであってもよいし、外部から取得された画像データであってもよい。また、コンテンツデータのデータ種別は画像データに限定されず、コンテンツデータのデータ種別は、音声データ、ゲーム、またはソフトウェアなどであってもよい。また、各サムネイルｓは静止画であってもよいし、動画であってもよい。
【００４８】
また、インデックス画面Ｉは、上方スクロールボタン６４および下方スクロールボタン６６を含み、ユーザは、上方スクロールボタン６４または下方スクロールボタン６６を選択することにより、インデックス画面Ｉを任意の方向にスクロールすることができる。
【００４９】
また、ユーザは、インデックス画面Ｉにおいてカーソル６８を所望のサムネイルに合わせることにより、再生対象のコンテンツデータを選択することができる。そして、ユーザによりコンテンツデータの選択が決定されると、撮像装置１は、選択されたコンテンツデータの再生を開始し、当該コンテンツデータの再生画面を生成する。
【００５０】
図６は、コンテンツデータの再生画面Ｐの具体例を示した説明図である。図６に示したように、コンテンツデータの再生画面Ｐは、停止ボタン７１、巻き戻しボタン７２、再生／一時停止ボタン７３、早送りボタン７４、およびリターンボタン７６を含む。
【００５１】
撮像装置１は、ユーザにより停止ボタン７１、巻き戻しボタン７２、再生／一時停止ボタン７３、または早送りボタン７４が選択されると、選択されたボタンに応じてコンテンツデータの再生を制御する。例えば、撮像装置１は、ユーザにより停止ボタン７１が選択されると、コンテンツデータの再生を停止する。また、撮像装置１は、ユーザによりリターンボタン７６が選択されると、コンテンツデータの再生を停止し、インデックス画面Ｉを生成する。
【００５２】
なお、上記では撮影モードと再生モードの切替えがモード操作部２４へのユーザ操作に応じて行われる例を説明したが、モード切替えのトリガはかかる例に限定されない。例えば、撮像装置１は、撮像画面Ｒに再生モードへの切替用ボタンを付加し、再生モードへの切替用ボタンがユーザにより選択された場合に動作モードを再生モードに切り替えてもよい。同様に、撮像装置１は、インデックス画面Ｉや再生画面Ｐに撮影モードへの切替用ボタンを付加し、撮影モードへの切替用ボタンがユーザにより選択された場合に動作モードを撮影モードに切り替えてもよい。
【００５３】
また、インデックス画面Ｉの構成は図５に示した例に限定されない。例えば、インデックス画面Ｉは、画像データに関連する地図上の位置（例えば、撮像位置）に当該画像データのサムネイルが重畳された画面であってもよいし、画像データに関連する時間軸上の位置（例えば、撮像日時）に当該画像データのサムネイルが重畳された画面であってもよい。
【００５４】
また、撮像装置１は、再生モードにおいて、上記のインデックス画面Ｉや再生画面Ｐをタッチパネル１２に表示することも、プロジェクターモジュール１８から投影することも可能である。
【００５５】
＜２．第１の実施形態＞
［１−１．撮像装置の構成］
図７は、本発明の第１の実施形態による撮像装置１の構成を示したブロック図である。図７に示したように、本発明の第１の実施形態による撮像装置１は、制御部１０、撮影部３０および記録再生処理部４０を備えている。
【００５６】
撮影部（撮像部）３０は、撮影光学系３１、光学系制御部３２、信号変換部３３、画像信号処理部３４、音声入力部３５および音声信号処理部３６を備える。
【００５７】
撮影光学系３１は、内部に、被写体を撮像するためのレンズ群、絞り調整機構、フォーカス調整機構、ズーム機構、シャッター機構、フラッシュ機構、および、手ぶれ補正機構などを備え、信号変換部３３に被写体像を形成する。
【００５８】
光学系制御部３２は、制御部１０からの制御信号を受けて、撮影光学系３１に供給する制御信号を生成する。そして、光学系制御部３２は、生成した制御信号を撮影光学系３１に供給し、ズーム制御、シャッター制御、および、露出制御などの制御を行う。
【００５９】
信号変換部３３は、上述したように例えばＣＣＤやＣＭＯＳなどの撮像素子により構成される。この信号変換部３３は、操作入力部２０に対するユーザ操作に基づいて制御部１０から画像取り込みタイミング信号が供給されると、撮影光学系３１により結像面に形成された被写体像を電気的な画像信号に変換し、画像信号処理部３４に供給する。なお、撮影モードにおいては制御部１０から画像取り込みタイミング信号が連続的に供給されるので、信号変換部３３は連続的に被写体像の画像信号の変換を行うことにより、複数フレームの画像信号を取得する。
【００６０】
画像信号処理部３４は、制御部１０からの制御信号に基づいて、画像信号についてのガンマ補正やＡＧＣ（Ａｕｔｏ  Ｇａｉｎ  Ｃｏｎｔｒｏｌ）などの処理を行うとともに、画像信号をデジタル形式に変換する処理も行う。
【００６１】
音声入力部３５は、撮影モード時に被写体周辺の音声を収集する。音声入力部３５は、収集した音声を電気的な音声信号に変換して音声信号処理部３６に供給する。音声信号処理部３６は、制御部１０からの制御信号に基づいて、音声信号についての補正やＡＧＣなどの処理を行うとともに、音声信号をデジタル形式に変換する処理も行う。
【００６２】
また、記録再生処理部４０は、図７に示したように、符号化／復号部４１、ディスクインターフェース４２、記憶装置４４、出力処理部４５およびバッファメモリ４６を備え、再生部および記録部として機能する。
【００６３】
符号化／復号部４１は、撮影部３０から供給される画像信号および音声信号や、時刻情報などの追加記録情報をＭＰＥＧ方式等により符号化し多重化して、画像データおよび音声データを含む圧縮データに変換する符号化機能を有する。
【００６４】
一方、符号化／復号部４１は、圧縮データから画像データおよび音声データなどを分離し、画像データおよび音声データを画像信号および音声信号に復号する復号機能（再生機能）も有する（再生処理部）。
【００６５】
また、符号化／復号部４１は、制御部１０からの制御信号に基づいて、画像信号処理部３４から供給される画像信号に対して、自動ホワイトバランス制御、露出補正制御、デジタルズーム倍率に応じた拡大制御などをさらに行う。
【００６６】
ディスクインターフェース４２は、符号化／復号部４１から供給された圧縮データを記憶装置４４に書き込む。また、ディスクインターフェース４２は、記憶装置４４から圧縮データを読み出して符号化／復号部４１に供給する。なお、記憶装置４４は、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などの光ディスクであってもよい。
【００６７】
出力処理部４５は、システムバス１０９を介して主制御部１００により制御される。また、出力処理部４５は、符号化／復号部４１から供給される圧縮データを制御部１０や、編集装置２００に供給する。ここで、編集装置２００は、例えば、出力処理部４５が備える出力端子を介して撮像装置１と接続された情報処理装置であってもよい。ユーザは、この編集装置２００を用いて画像データや音声データなどの編集を行うことができる。
【００６８】
バッファメモリ４６は、例えばＳＤＲＡＭなどにより構成され、符号化／復号部４１における符号化または復号のための作業領域として利用される。
【００６９】
また、制御部１０は、図７に示したように、主制御部１００、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、操作入力部２０やタッチパネル１２からの操作入力を受け付ける操作入力インターフェース１０３、タッチパネル１２を制御する表示制御部１０４、メモリカード１４を装填するメモリカードインターフェース１０５、撮影時刻の記録などに利用する時間情報を生成する時計回路１０６、およびプロジェクターモジュール１８を制御するプロジェクター制御部１０８が、システムバス１０９を介して接続されることにより構成される。
【００７０】
主制御部１００は、撮像装置１全体の処理を司るものであり、作業領域としてＲＡＭ１０２を使用する。また、主制御部１００は、モード操作部２４に対するユーザ操作により指定される動作モードに応じた制御を行なう。
【００７１】
例えば、動作モードが撮像モードである場合、主制御部１００は、プロジェクター制御部１０８およびプロジェクターモジュール１８への電力供給を停止し、表示制御部１０４を介して、タッチパネル１２に画像信号処理部３４から供給される画像信号を表示させる。
【００７２】
また、動作モードが再生モードである場合、主制御部１００は、撮影部３０への電力供給を停止し、符号化／復号部４１から供給される画像データの再生信号またはサムネイルに基づいて再生画面Ｐまたはインデックス画面Ｉを生成し、表示制御部１０４を介してタッチパネル１２に再生画面Ｐまたはインデックス画面Ｉを表示させる。
【００７３】
ＲＯＭ１０１には、撮影部３０を制御するためのプログラムや、画像信号や音声信号の記録制御および再生制御などを実行するためのプログラムが書き込まれている。
【００７４】
操作入力インターフェース１０３は、接続される操作入力部２０およびタッチパネル１２からの操作信号を主制御部１００に伝える。なお、図１に示したズーム操作部２１、マニュアル操作部２２、静止画撮像操作部２３、モード操作部２４および投影切替操作部２５などを操作入力部２０と総称する。
【００７５】
表示制御部１０４は、画像信号処理部３４から供給される画像信号や、主制御部１００により生成された再生画面Ｐまたはインデックス画面Ｉなどをタッチパネル１２に表示する制御を行なう。
【００７６】
メモリカードインターフェース１０５は、符号化／復号部４１から供給された圧縮データをメモリカード１４に書き込む。また、メモリカードインターフェース１０５は、メモリカード１４から圧縮データを読み出して符号化／復号部４１に供給する。
【００７７】
時計回路１０６は、年、月、日、時間、分、秒などを表わす時間情報を生成する。
【００７８】
手ぶれセンサ１０７は、本体部４の揺動を検知する。例えば、動作モードが撮像モードである場合は、主制御部１００は、手ぶれセンサ１０７による検知結果を光学系制御部３２に送る。次いで、光学系制御部３２は、検知結果に応じて撮像光学系３１を形成するレンズ群に含まれるシフトレンズを上下左右にシフトして光軸を曲げることで、ぶれを補正する（光学式手ぶれ補正）。また、動作モードが再生モードの場合は、主制御部１００は、手ぶれセンサ１０７により本体部４の揺動が検知されない場合は本体部４が静止している、すなわち置かれた状態であると判断する。
【００７９】
プロジェクター制御部１０８は、プロジェクターモジュール１８から投影面３に画面を投影させるための制御を行なう。プロジェクター制御部１０８による制御に基づき、例えば再生画面Ｐまたはインデックス画面Ｉがプロジェクターモジュール１８から投影面３に投影される。特に、本実施形態によるプロジェクター制御部１０８は、本体部４の方向と、プロジェクターモジュールからの投影方向に応じて、投影開始の制御を行なう。投影開始の制御の詳細については、「２−２．撮像装置の動作」で図８および図９を参照して説明する。
【００８０】
セット方向検出部１１０は、重力センサ１５の検知結果に基づいて本体部４の方向を検出する。セット方向検出部１１０により検出された本体部４の方向を示す情報は、後述する投影開始制御に用いられる。
【００８１】
パネル角度検出部１１１は、パネル角度センサ１９の検知結果に基づいて開閉部８のＬ１軸周りの開閉角度と、Ｌ２軸周りの開閉角度を検出する。パネル角度検出部１１０により検出される開閉部８の開閉状態、およびタッチパネル１２の向きに基づき、主制御部１００は、開閉部８に設けられたプロジェクターモジュール１８による投影方向を判断する。投影方向を示す情報は、後述する投影開始制御に用いられる。
【００８２】
［２−２．撮像装置の動作］
次に、本実施形態による撮像装置１の動作について図８および図９を参照して説明する。図８は、本実施形態による撮像装置１の動作処理を示すフローチャートである。図９は、本実施形態による撮像装置１の投影時の姿勢を示す斜視図である。
【００８３】
図８に示すように、手ぶれセンサ１０７により本体部４の揺動が検知されず、撮像装置１が置かれた状態にあると判断され（ステップＳ３０２／Ｙｅｓ）、図９に示すように、セット方向検出部１１０により、本体部４の撮像光学系３１が上向きで撮像光軸方向Ｄ１が垂直になる縦方向であることが検出され（ステップＳ３０４／Ｙｅｓ）、パネル角度検出部１１１により、開閉部８に設けられたタッチパネル１２が上向きで水平の場合を０度として回転軸Ｌ２を中心に回転角度が±４５度以内であることが検出された場合に（ステップＳ３０６／Ｙｅｓ）、主制御部１００はプロジェクター制御部１０８を介してプロジェクターモジュール１８から画面の投影を開始する。
【００８４】
ここで、上記ステップ３０２〜Ｓ３０６に示した投影開始の条件について説明する。まず、プロジェクターによる投影を行なう場合は、ユーザは撮像装置１をテーブル等に置くことが想定されるため、ステップＳ３０２で本体部４が置かれたか否か検出する。
【００８５】
次に、通常、撮像装置１は本体部４の撮像光軸方向Ｄ１が水平になる横方向に向けられて使用される。したがって、本実施形態では、本体部４の撮像光軸方向Ｄ１を図９に示すように垂直になる縦方向に向けて使用する場合を特別なトリガとして投影開始制御に用いる。そこでステップＳ３０４の条件を設けた。
【００８６】
さらに、プロジェクターからの投影は、通常、壁やスクリーン等垂直な面に向かって行なうため、投影方向が略水平の場合に投影開始の制御を行なうことが望まれる。また、投影中もユーザがタッチパネル１２を操作して投影画面の選択などをできることが望まれる。したがって、開閉部８に設けられるプロジェクターモジュール１８は、本体部４が撮像光学系３１を上向きで撮像光軸方向Ｄ１が垂直になる縦方向で置かれ、かつ、開閉部８がタッチパネル１２を本体部４に対して外側に向けて開けられた状態（タッチパネル１２が上向き）の場合に、図９に示すように投影方向Ｄ２が水平になる箇所に設けられることが望まれる。
【００８７】
また、図９に示すタッチパネル１２は水平であるが、ユーザにとっては少し斜めになっている方が操作し易いこともある。したがって、図９に示すようにタッチパネル１２が上向きで水平の場合を０度として回転軸Ｌ２を中心に回転角度が±４５度以内である場合にも投影を行なうことが望まれる。そこで、ステップＳ３０６の条件を設けた。
【００８８】
このように、上記ステップＳ３０２〜Ｓ３０６に示す条件において投影を開始後、手ぶれセンサ１０７により本体部４の揺動が検知され、撮像装置１が持ち上げられた状態にあると判断された場合や（ステップＳ３１０／Ｎｏ）、セット方向検出部１１０により本体部４の撮像光軸方向Ｄ１が縦方向かつ上向き以外のセット方向が検出された場合や（ステップＳ３１２／Ｎｏ）、パネル角度検出部１１１により、開閉部８に設けられたタッチパネル１２が上向きかつ回転角度が±４５度以内でないことが検出された場合は（ステップＳ３１４／Ｎｏ）、主制御部１００はプロジェクター制御部１０８を介してプロジェクターモジュール１８から画面の投影を終了する。
【００８９】
ここで、タッチパネル１２を操作した際に開閉部８を多少回転させてしまっても投影を継続することが望まれるため、上記ステップＳ３１４では、図９に示すようにタッチパネル１２が上向きで水平の場合を０度として回転軸Ｌ２を中心に回転角度が±４５度以内である場合には投影を終了させない（ステップＳ３１４／Ｙｅｓ）。
【００９０】
（投影時の操作）
次に、本実施形態による撮像装置１が画面を投影している際の操作部について説明する。上述したタッチパネル１２から操作入力を受け付ける他、操作入力部２０から、撮影モード時とは異なるユーザ操作を受け付けてもよい。例えば、図９に示すズーム操作部２１は、上述したように例えばワイド側またはテレ側に傾倒可能なレバーで構成され、撮影モード時には拡大、縮小のユーザを操作が受け付けられる。しかし、再生モード時には、例えば図５に示すインデックス画面Ｉが投影されている場合に、当該レバーが傾倒された側にカーソル６８を移動させてサムネイルを選択してもよい。
【００９１】
さらに、本実施形態による撮像装置１は、再生モード時に撮像部３０の撮像光学系３１で撮像した画像から、ユーザ操作を受け付けてもよい。この場合、撮影モード時と異なり、撮像光学系３１で撮像した画像は記録装置４４への記録やタッチパネル１２での表示はされない。
【００９２】
例えば、図５に示すインデックス画面Ｉが投影されている場合に、撮像光学系３１が、図１０に示すようにユーザの手の動きを撮像した場合は、手が動かされた方向にカーソル６８を移動させてサムネイルを選択してもよい。このように、撮像光学系３１を用いることでジェスチャー入力が可能である。
【００９３】
また、撮像光学系３１でユーザの顔を撮像した場合は、主制御部１００が顔認識を行ない顔の特徴を算出し、同じ特徴を有する顔が映っている画像を記憶装置４４から抽出してサムネイル表示してもよい。
【００９４】
＜３．第２の実施形態＞
次に、本発明の第２の実施形態による撮像装置１について図１１および図１２を参照して説明する。図１１は、本実施形態による撮像装置１の動作処理を示すフローチャートである。図１２は、本実施形態による撮像装置１の投影時の姿勢を示す斜視図である。
【００９５】
図１１に示すように、手ぶれセンサ１０７により本体部４の揺動が検知されず、撮像装置１が置かれた状態にあると判断され（ステップＳ４０２／Ｙｅｓ）、図１２に示すように、セット方向検出部１１０により、本体部４の撮像光学系３１が下向きで撮像光軸方向Ｄ１が垂直になる縦方向であることが検出され（ステップＳ４０４／Ｙｅｓ）、パネル角度検出部１１１により、開閉部８に設けられたタッチパネル１２が上向きで水平の場合を０度として回転軸Ｌ２を中心に回転角度が±４５度以内であることが検出された場合に（ステップＳ４０６／Ｙｅｓ）、主制御部１００はプロジェクター制御部１０８を介してプロジェクターモジュール１８から画面の投影を開始する。
【００９６】
ここで、上記ステップＳ４０２〜Ｓ４０６に示した投影開始の条件について説明する。まず、ステップＳ４０２については、上記［２−２．撮像装置の動作］で説明したステップＳ３０２と同様であるため、説明を省略する。
【００９７】
次に、ステップＳ４０４の条件について説明する。通常、撮像装置１は本体部４の撮像光軸方向Ｄ１が水平になる横方向に向けられて使用される。したがって、本体部４の撮像光軸方向Ｄ１を図１２に示すように垂直になる縦方向に向けて使用する場合を、特別なトリガとして投影開始制御に用いる。また、本実施形態による撮像装置１は、上記第１の実施形態と異なり、本体部４の撮像光学系３１が下向きで撮像光軸方向Ｄ１が垂直になる縦方向にセットされる。
【００９８】
さらに、上述したように、プロジェクターからの投影は、通常、壁やスクリーン等垂直な面に向かって行なうため、投影方向が略水平の場合に投影開始の制御を行なうことが望まれる。また、投影中もユーザがタッチパネル１２を操作して投影画面の選択などをできることが望まれる。したがって、開閉部８に設けられるプロジェクターモジュール１８は、本体部４が撮像光学系３１を下向きにして撮像光軸方向Ｄ１が垂直になる縦方向に置かれ、開閉部８がタッチパネル１２を本体部４に対して内側を向けて開けられた状態（タッチパネル１２が上向き）の場合に、図１２に示すように投影方向Ｄ２が水平になる箇所に設けられることが望まれる。
【００９９】
また、図１２に示すタッチパネル１２は水平であるが、ユーザにとっては少し斜めになっている方が操作し易いこともある。したがって、図１２に示すようにタッチパネル１２が上向きで水平の場合を０度として回転軸Ｌ２を中心に±４５度以内である場合にも投影を行なうことが望まれる。そこで、ステップＳ４０６の条件を設けた。
【０１００】
このように、上記ステップＳ４０２〜Ｓ４０６に示す条件において投影を開始後、手ぶれセンサ１０７により本体部４の揺動が検知され、撮像装置１が持ち上げられた状態にあると判断された場合や（ステップＳ４１０／Ｎｏ）、セット方向検出部１１０により本体部４の撮像光軸方向Ｄ１が縦方向かつ下向き以外のセット方向が検出された場合や（ステップＳ４１２／Ｎｏ）、パネル角度検出部１１１により、開閉部８に設けられたタッチパネル１２が上向きかつ回転角度が±４５度以内でないことが検出された場合は（ステップＳ４１４／Ｎｏ）、主制御部１００はプロジェクター制御部１０８を介してプロジェクターモジュール１８から画面の投影を終了する。
【０１０１】
ここで、タッチパネル１２を操作した際に開閉部８を多少回転させてしまっても投影を継続することが望まれるため、上記ステップＳ４１４では、図１２に示すようにタッチパネル１２が上向きで水平の場合を０度として回転軸Ｌ２を中心に±４５度以内である場合には投影を終了させない（ステップＳ４１４／Ｙｅｓ）。
【０１０２】
＜４．まとめ＞
以上説明したように、本発明の実施形態にかかる撮像装置１によれば、本体部４の方向とプロジェクターモジュール１８の投影方向に応じて自動的に画面の投影を行なうため、ユーザにとって投影開始のための煩雑な操作の負担を軽減し、投影開始のための操作の簡素化を図ることができる。
【０１０３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０４】
例えば、本明細書の撮像装置１の処理における各ステップは、必ずしもフローチャートとして記載された順序に沿って時系列に処理する必要はない。例えば、図８に示す撮像装置１の処理におけるステップＳ３０２、Ｓ３０４、Ｓ３０６は、フローチャートとして記載した順序と異なる順序で処理されても、並列的に処理されてもよい。
【０１０５】
また、撮像装置１に内蔵されるハードウェアを、上述した撮像装置１の各構成と同等の機能を発揮させるためのコンピュータプログラムも作成可能である。また、該コンピュータプログラムを記憶させた記憶媒体も提供される。
【符号の説明】
【０１０６】
１      撮像装置
４      本体部
６      ヒンジ機構
８      開閉部
１２    タッチパネル
１０    制御部
１８    プロジェクターモジュール
２０    操作入力部
２１    ズーム操作部
２２    マニュアル操作部
２３    静止画撮像操作部
２４    モード操作部
２５    投影切替操作部
３０    撮影部
３１    撮像光学系
４０    記録再生処理部
１００  主制御部
Ｄ１    撮像光学軸方向
Ｄ２    投影方向
【図１】
0005621511.tif 000002
【図２】
0005621511.tif 000003
【図３】
0005621511.tif 000004
【図４】
0005621511.tif 000005
【図５】
0005621511.tif 000006
【図６】
0005621511.tif 000007
【図７】
0005621511.tif 000008
【図８】
0005621511.tif 000009
【図９】
0005621511.tif 000010
【図１０】
0005621511.tif 000011
【図１１】
0005621511.tif 000012
【図１２】
0005621511.tif 000013